(57)【要約】      （修正有）【課題】スリット状の継ぎ目がある会議室の壁面に画像を投影する場合であっても、良好に画像を投影できる画像投影システムを提供する。【解決手段】投影面の画像１１０を良好に投影できないスリット１０１領域の位置情報に基づいて入力画像を区分けし、スリット領域を除く投影面の領域に前記入力画像が投影されるような出力画像を生成する。そしてこのような出力画像を投影面に投影することで、良好に識別可能な投影を行うことが可能となる。【選択図】図４
2015031752.tif 000002
【特許請求の範囲】
【請求項１】
入力画像をそのまま表示しない投影面の領域の位置および幅に関する情報を記憶する記憶手段と、
前記記憶手段に記憶された前記情報に基づいて入力画像を区分けし、前記幅の領域を除く投影面の領域に前記入力画像が投影される出力画像を生成する画像生成手段と、
前記画像生成手段で生成された出力画像を投影面に投影する投影手段と、
を有することを特徴とする画像投影システム。
【請求項２】
前記入力画像の大きさと前記記憶手段で記憶された情報とに基づいて、区分けされた画像をサイズ変更する必要があるか判断する判断手段をさらに有し、
前記判断手段でサイズ変更が必要であると判断された場合に、前記生成手段は、前記区分けされた画像ごとに画像サイズを縮小することで前記出力画像を生成することを特徴とする請求項１に記載の画像投影システム。
【請求項３】
前記判断手段で区分けされた画像をサイズ変更する必要がないと判断された場合には、  前記生成手段は、画像サイズを縮小することなく前記区分けされた画像ごとに座標位置を移動させることで前記出力画像を生成することを特徴とする請求項２に記載の画像投影システム。
【請求項４】
検出用画像が投影された投影面の画像を取得する取得手段と、
前記取得された画像から前記入力画像をそのまま表示しない投影面の領域の位置および幅に関する情報を解析する解析手段と、をさらに有し、
前記記憶手段は、前記解析手段で解析された情報を記憶していることを特徴とする請求項１乃至３のいずれか１項に記載の画像投影システム。
【請求項５】
前記検出用画像は、投影面全域に対して一様の強度で投影された画像であることを特徴とする請求項４に記載の画像投影システム。
【請求項６】
前記検出用画像は、入力画像であり、
前記解析手段は、前記取得手段で取得された画像と、入力画像とを比較することで、前記情報を解析することを特徴とする請求項５に記載の画像投影システム。
【請求項７】
前記入力画像をそのまま表示しない投影面の領域の位置および幅に関する情報を設定する画面を表示する表示手段と、
前記表示手段によって表示された画面に基づいて、画像をそのまま表示しない領域の位置および幅に関する情報の設定を受け付ける受付手段と、をさらに有し、
前記記憶手段は、前記受付手段で受け付けた情報を記憶していることを特徴とする請求項１乃至６のいずれか１項に記載の画像投影システム。
【請求項８】
前記表示手段は、投影面に当該画面を投影することで前記画面を表示することを特徴とする請求項７に記載の画像投影システム。
【請求項９】
前記画像生成手段は、前記区分けされた画像のうち隣り合う２画像の一部の領域は同じ画像となるように生成することを特徴とする請求項１乃至８のいずれか１項に記載の画像投影システム。
【請求項１０】
入力画像をそのまま投影しない投影面の領域の位置および幅に関する情報を記憶する記憶手段と、
前記記憶手段に記憶された前記情報に基づいて入力画像を区分けし、前記幅の領域を除く投影領域に前記入力画像が投影される出力画像を生成する画像生成手段と、
前記画像生成手段で生成された出力画像を投影面に投影する投影手段と、
を有することを特徴とする画像投影装置。
【請求項１１】
入力画像をそのまま投影しない投影面の領域の位置および幅に関する情報を記憶手段に記憶する記憶工程と、
前記記憶手段に記憶された前記情報に基づいて区分けした入力画像を用い、前記幅の領域を除く投影面の領域に前記入力画像が投影される出力画像を生成する画像生成工程と、
前記画像生成工程で生成された出力画像を投影面に投影する投影工程と、
を有することを特徴とする画像投影方法。
【請求項１２】
入力画像をそのまま投影しない投影面の領域の位置および幅に関する情報を記憶手段に記憶する記憶手段、
前記記憶手段に記憶された前記情報に基づいて区分けした入力画像を用い、前記幅の領域を除く投影面の領域に前記入力画像が投影される力画像を生成する画像生成手段、
前記画像生成手段で生成された出力画像を投影面に投影する投影手段、
として画像投影装置を機能させるプログラム。
【発明の詳細な説明】
【技術分野】
【０００１】
本発明は、画像投影システム、画像投影装置、画像投影方法、およびプログラムに関する。
【背景技術】
【０００２】
プロジェクタなどの画像投影システムを用いて画像を投影する際に用いる投影面としては、専用のスクリーンを使用することが理想であるが、専用スクリーンのかわりに教室や会議室等の壁面をスクリーンとして用いて画像を表示することがよく行われている。しかし、このような壁面に絵画や広告物等の何らかの障害物がある場合には、障害物の凹凸の影響を受けて投影画像を識別しにくくなってしまうため、壁面に障害物があったとしても画像を良好に投影できる技術が求められている。
【０００３】
特許文献１には、このような壁面に障害物があったとしても良好に表示することができる投影型画像表示システムが開示されている。特許文献１では、投影されたキャリブレーション画像をセンシングして投影可能領域を決定し、該投影可能領域のうち実際に投影する領域を選択し、この投影する領域に表示できるように画像の調整を行うことが開示されている。
【先行技術文献】
【特許文献】
【０００４】
【特許文献１】特開２００７−３２３０８４号公報
【発明の開示】
【発明が解決しようとする課題】
【０００５】
ところで、近年の会議室は多種多様の会議形態に対応するためにパーティションによって区切られるように設けられていることが多いが、このような会議室の壁面には縦や横にスリット状の継ぎ目が存在することになる。そして、このようなスリット状の継ぎ目の上に画像を投影すると、文字などは判別が困難であったり、別の文字として認識されてしまう可能性が生じることになる。
【０００６】
この際に特許文献１のようにスリット状の継ぎ目を全て回避するように画像の調整を行ってしまうと、投影画像が小さくなりすぎてしまい文字の識別や、写真やイラスト等の画像の確認が困難となってしまう可能性がある。
【０００７】
本願発明は、上記課題を鑑みてなされたものであり、スリット状の継ぎ目があるような会議室であっても、良好に画像を投影できる画像投影システムを提供することを目的としている。
【課題を解決するための手段】
【０００８】
上記目的を解決できる本願発明に係る画像投影システムは、入力画像をそのまま投影しない投影面の領域の位置および幅に関する情報を記憶する記憶手段と、前記記憶手段に記憶された情報に基づいて区分けした入力画像を用い、前記幅の領域には画像が投影されない出力画像を生成する画像生成手段と、前記画像生成手段で生成された出力画像を投影面に投影する投影手段と、を有することを特徴としている。
【発明の効果】
【０００９】
このように設けることにより、スリット状の継ぎ目があるような会議室であっても、スリットの幅を加味した画像の生成が行えるため、文字や画像の識別を行える良好に識別できる画像の投影を行うことができる。
【図面の簡単な説明】
【００１０】
【図１】会議室の壁面に画像を投影する際の模式図である。
【図２】画像投影装置のハードウェア構成図である。
【図３】画像投影装置のソフトウェア構成について説明するための図である。
【図４】（ａ）従来の会議室の壁面に投影された画像を示す図である。（ｂ）本願発明を用いて会議室の壁面に投影された画像を示す図である。
【図５】投影モードの選択を説明するためのフローチャートである。
【図６】設定メニューの模式図である。
【図７】処理条件を決定する流れを説明するためのフローチャートである。
【図８】（ａ）自動で処理条件を決定する際のフローチャートである。（ｂ）検出されたスリットの情報の一例である。
【図９】手動で処理条件を決定する際の画面の一例である。
【図１０】処理条件の解析を説明するためのフローチャートである。
【図１１】区分けした領域の座標と、調整後の座標を示す図である。
【図１２】入力画像の処理を説明するためのフローチャートである。
【発明を実施するための形態】
【００１１】
図１は、本発明に係る液晶プロジェクタ等の画像投影装置２００で、パーティションで区切られた会議室の壁面１００に画像を投影する様子を模式的に示したものである。壁面１００には、スリット状の継ぎ目１０１が設けられており、壁面に投影された画像１１０は、継ぎ目１０１上にも投影されることになる。本発明を適用せずに画像を投影した例が図４（ａ）である。入力された画像をそのままスリット状の継ぎ目１０１がある壁面に投影すると文字を正確に視認することができないことがわかる。これに対し、本発明を適用して画像を投影すると図４（ｂ）に示すようにスリット状の継ぎ目１０１の幅を加味して画像が投影されるため、文字や画像を間違えずに識別することが可能となる。以下、図４（ｂ）のように、良好に識別可能な画像を投影することができる画像投影システム（装置）について詳細に説明する。
【００１２】
図２は、本発明に係る画像投影装置のハードウェアブロック図である。ＣＰＵ２０１は、システムバス２０４に接続される各デバイスやコントローラを統括的に制御する。ＲＯＭ２０２には、ＣＰＵ２０１の制御プログラムであるＢＩＯＳ(Basic Input / OutputSystem)やオペレーティングシステムプログラム（以下、ＯＳ）が記憶されている。さらにＲＯＭには各サーバ或いは各ＰＣの実行する機能を実現するために必要な各種プログラム等が記憶されている。ＲＡＭ２０３は、ＣＰＵ２０１の主メモリ、ワークエリア等として機能する。また、ＣＰＵ２０１は、処理の実行に際して必要なプログラム等をＲＡＭ２０３にロードして、プログラムを実行することで各種動作を実現する。
【００１３】
入力コントローラ２０５は、画像投影装置２００に設けられたカメラなどの撮影部３３０で撮影された画像の入力を制御したり、操作部２０９からの操作を受け付ける。出力コントローラ２０６は、投影部３１４における画像の投影を制御する。  情報記憶媒体２０７は、ブートプログラム、ブラウザソフトウエア、各種のアプリケーション、フォントデータ、ユーザファイル、編集ファイル、各種データ等を記憶する。
【００１４】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。なお、ＣＰＵ２０１は、例えばＲＡＭ２０３内の表示情報用領域へアウトラインフォントの展開（ラスタライズ）処理を実行することにより、投影部３１４上での表示を可能としている。本発明を実現するためのプログラムは情報記憶媒体２０７に記録されており、必要に応じてＲＡＭ２０３にロードされることによりＣＰＵ２０１によって実行されるものである。
【００１５】
なお、図２の構成は一例であり、用途や目的に応じて様々な構成例があることは云うまでもない。その他の構成例として、プロジェクタが、ネットワークと接続され、通信可能な不図示のパーソナルコンピュータ等の情報処理装置からプログラム生成命令を受けることによって、プログラムの生成を行うことも可能である。
【００１６】
すなわち、本発明の機能が実現されるものであれば、単体の機器であっても、複数の機器からなるシステムであっても、ネットワークを介して処理が行われるシステムであっても本発明を適用することができる。また、情報記憶媒体２０７に記憶された情報は、それぞれデータベース（ＤＢ）等に格納されていても良い。
【００１７】
次に図３の画像投影装置２００のソフトウェア構成を示す図を用いて画像投影装置２００で入力された画像が壁面に投影されるまでの流れを説明する。まず最初に、画像投影装置２００の外部から入力された画像信号３７０が信号入力部へ入力される。次に投影画像処理部３１１にて、画像が正確に表示することができない領域を避けて投影画像が表示されるように、画像信号の処理を行う。このように処理された画像信号を信号出力部３１２から投影部３１４に出力する。
【００１８】
また、投影部３１４は、空間光変調器３２１と、空間光変調器３２１を駆動する駆動部３２０と、光源３２２と、レンズ３２３とを含んで構成されている。駆動部３２０は、信号出力部３１２からの画像信号に基づき、空間光変調器３２１を駆動する。そして、投影部３１４は、光源３２２からの光を、空間光変調器３２１およびレンズ３２３を介し、入力された画像信号に基づいて壁面に対して画像を投影する。このように投影画像の処理を行うことにより、スリット状の継ぎ目の幅を加味した画像を壁面に表示することができ、文字や画像を良好に識別できるようになる。
【００１９】
次に、図３の画像投影装置２００のソフトウェア構成を示す図を用いて投影画像処理部３１１にて処理を行うために用いる、画像を正確に表示することができない幅（スリット状の継ぎ目の幅）および当該箇所の位置を取得する流れを簡単に説明する。画像投影装置２００にはカメラなどの撮影部３３０が設けられており、あらかじめレンズ３２３から白色光等の光を投影面に対して一様の強度で投影した状態を撮影部３３０で撮影する。そして撮影部３３０で撮影された画像の濃度をもとに、処理条件取得部３１３が投影画像処理部３１１の処理に用いる処理条件を取得する。処理条件の取得の詳細については後述するが、撮影部３３０で撮影された画像から画像が正常に投影されていない領域（スリット領域とも称する）の座標を取得し、取得された座標情報に基づいて画像の処理条件を処理条件決定部３０２で決定する。このように、座標を取得することにより、スリット領域の位置及び幅を容易に認識させ、画像の処理条件を決定することができる。
以下、このような処理の流れをフローチャートを用いて詳細に説明する。
【００２０】
図５に投影モードの判断のフローを示す。スリット領域を回避するスリット回避モードで画像を表示するモードか否かを判断する（Ｓ５０１）。このようなモードは、図６（ａ）に示すような設定メニュー６０１のスリット回避設定画面６０３で選択することができる。このような設定メニューを用いた設定は、投影画像で表示し、画像投影装置２００の操作部２０９で操作して行うことができる。また、ＰＣから画像投影装置２００にアクセスし、ＰＣの画面上で設定するように設けることもできる。
【００２１】
Ｓ５０１でスリット回避モードが無効であると判断された場合には、ユーザーにスリット回避モードが無効（Ｎｏ）であることを通知し、入力された画像信号がそのまま投影面に投影する（Ｓ５０２）。ユーザーに通知する方法としては、プロジェクタを起動時に投影面である壁面に投影する方法を採用してもよいし、プロジェクタに接続されたＰＣなどに表示させる方法を採用してもよい。Ｓ５０１でスリット回避モードが有効（Ｙｅｓ）であると判断された場合には、あらかじめ定められた処理条件に基づいて投影画像の調整処理を行う（Ｓ５０３）。そして処理された投影画像を投影面に投影する（Ｓ５０４）。
【００２２】
次に、Ｓ５０３の投影画像の画像生成処理で用いられる処理条件の設定について説明する。このような処理条件の設定は、会議開始前などの画像投影装置で投影する壁面が決まった際に適宜行うことが好ましい。また、画像投影装置を設置する位置ごとに（例えば会議室ごとに）記憶させておき、いずれかの条件を選択して投影画像を生成できるようにしてもよい。
【００２３】
図７に処理条件の決定フローを示す。まず入力画像をそのまま投影しない領域であるスリット領域の検出を自動で行う自動検出モードか手動検出モードであるかを判断する（Ｓ７０１）。このようなモードの選択は、図６（ｂ）に示すような設定メニュー６０１のスリット条件設定画面６０２で選択することができる。手動検出モードと自動検出モードの両方を設けておくことにより自動では正確にスリット領域を検出できない場合にも良好な画像の調整を行うことができる。すなわち様々な壁面の状態に応じた画像の処理を行うことができる。
【００２４】
Ｓ７０１で自動検出モード（Ｙｅｓ）であると判断された場合には、自動でスリット領域の検出を行いスリット領域の情報を取得する（Ｓ７０２）。Ｓ７０１で自動検出モードでない（Ｎｏ）と判断された場合には、Ｓ７０３で手動でスリット領域の設定を受け付ける。そして、Ｓ７０４でＳ７０２またはＳ７０３で取得されたスリット領域の情報に基づいて、投影画像を処理するために用いる処理条件を解析する。また、処理条件の精度を高めるために自動で取得された処理情報の一部を手動で調整できるように設けてもよい。
【００２５】
次に、Ｓ７０２で行われる自動スリット領域の検出について図８（ａ）のフローチャートを用いて詳細に説明する。まず、スリット検出用画像を投影面に投影する（Ｓ８０２）。このような検出用の画像は、白色光等の光を投影面全域に対して一様の強度で投影することが好ましい。一様の強度とすることで、文字や画像を良好に識別することができない領域をより信頼性高く検知することができる。
【００２６】
次に、このような検出用画像が投影されている壁面を撮影部３３０で撮影する（Ｓ８０２）。そして撮影部３３０で撮影された壁面の画像の解析を行い、スリット領域の数と座標を取得する（Ｓ８０３）。具体的には、壁面の画像のうち濃度が所定以下となる領域をスリット領域とすることで、スリット領域の数と座標を求めることができる。なお、ここでは壁面に投影された画像を撮影する例を示したが、壁面から反射される光の強度をそのまま検出可能な検出手段を設け、この検出手段でスリットの位置および幅を取得してもよい。  このように取得されたスリットの座標の例を図８（ｂ）に示す。ここには壁面の画像のうち濃度が低い領域が解析されて取得されている。
【００２７】
このような入力画像をそのまま投影しない領域を示す情報である座標情報は、画像投影装置２００の情報記憶媒体２０７に一時的に記憶させておくことができる。ここではスリットが縦に設けられた例を用いて説明したが、スリットが横もしく斜めに設けられている場合や投影領域に部分的に存在している場合にも適用することができる。
【００２８】
また、Ｓ７０２で投影面に投影する検出用画像として白色光等の光を投影面全域に投影する以外に、投影に用いる入力画像をそのまま用いてもよい。このような場合には、撮影部３３０で撮影された画像と入力画像とを比較し、濃度の差が生じている領域をスリット領域と判断することができる。
【００２９】
次に、Ｓ７０３で行われるスリット条件のユーザー設定について、図９の設定画面を用いて説明する。このような設定画面は、投影画像として表示し画像投影装置２００の操作部２０９で操作して行うことができる。また、ＰＣから画像投影装置２００にアクセスし、ＰＣの画面上で設定するように設けることもできる。
【００３０】
設定画面では、縦スリットの追加を行う選択釦９０４、横スリットの追加を行う選択釦９０５等を用いて投影領域９００上にスリット９０１、９０２、９０３を表示させることができる。さらに、スリットのいずれかを選択した状態でスリット調整釦９０６を操作することで、スリットの位置・幅を調整することができる。また不要となるスリットはスリット削除釦９０７を操作することで削除することもできる。スリット条件の設定が完了した場合には、ＯＫ釦９０８を操作しスリット条件の設定を終了する。また、キャンセル釦９０９を操作して設定をキャンセルすることもできる。このように設定された条件には、図８（ｂ）に示すようなスリット領域情報が含まれている。そしてＯＫ釦９０８が操作されることで、このような入力画像をそのまま投影しない領域を示す情報である座標情報を画像投影装置２００の情報記憶媒体２０７に一時的に記憶させておくことができる。なお、ここでは縦や横にスリットを設定可能な例を用いて説明したが、スリットが斜めに存在するような条件や、投影領域に部分的に存在するような条件も設定することができる。
【００３１】
次に、Ｓ７０４で行われる処理条件の解析について図１０のフローチャートを用いて説明する。Ｓ１００１では、Ｓ７０２またはＳ７０３で受付られたスリット領域の数と座標に基づいて、入力された投影画像（入力画像）をいくつに区分けすることでスリット領域を回避することができる画像の区分け数を算出する。
【００３２】
そして自動または手動で設定された図８（ｂ）に示すようなスリット数及びスリットの幅と入力画像とに基づいて、区分けされた画像のサイズ変更を行う必要があるか判断する（Ｓ１００２）。入力画像とスリット領域とから算出される出力画像の大きさが画像投影装置で投影可能な画像サイズ以下の場合には、画像のサイズ変更を行う必要がないためＳ１００６に進み、座標を移動するための区分け座標を算出する。
【００３３】
サイズ変更を行う必要がない場合には図１１（ａ）に示すように、画像を投影可能な投影面の幅に対応した幅となるように画像を区分けする。そして、Ｓ１００７に進み、区分けされた画像をサイズ変更することなく、画像を投影できない投影面のスリット領域の幅分座標位置をシフトさせ、移動後の座標を算出する（図１１（ａ）参照）。その後、Ｓ１００８でこれらの情報を処理情報として情報記憶媒体２０７に記憶する。
【００３４】
一方、入力画像とスリット領域とから算出される出力画像の大きさが画像投影装置で投影可能な画像サイズより大きい場合には、画像のサイズ変更を行う必要があるためＳ１００３に進み、サイズ変更用の区分け座標を算出する。この一例を図１１（ｂ）に示す。図１１（ｂ）に示すように、スリット領域の中央で区分けされるように画像を区分けする。そして、Ｓ１００４に進み、入力画像の大きさと出力画像の大きさとが一致するようにサイズ変更したのちの座標を算出する（図１１（ｂ）参照）。さらに、Ｓ１００５で入力画像の各区分け画像の大きさと出力画像の各区分け画像の大きさとから縮小率を算出する。その後、Ｓ１００８でこれらの情報を処理情報として情報記憶媒体２０７に記憶する。
【００３５】
なおＳ１００３のスリット領域の区分け位置はスリット領域の中央以外でもよく、他のスリット領域の幅及び区分け領域の幅に応じて設定することもできる。その際には各区分け領域の縮小率が略均一となるようにすることが好ましい。
【００３６】
次に、以上のように求めた処理情報をもとに行う投影画像の生成処理（Ｓ５０３）について、図１２のフローチャートを用いて説明する。Ｓ１００８で登録された処理情報の区分け領域の座標情報に基づいて、入力された投影画像を区分けする（Ｓ１２０１）。次に処理情報の調整後の座標に基づいて、投影画像の調整を行う。すなわち、区分け画像のサイズ変更が必要ない場合には調整後の座標に基づいて処理を行い、区分け画像のサイズ変更が必要である場合には調整後の座標及び縮小率に基づいて処理を行う。これにより、スリット領域を除く投影面の領域に、入力された投影画像が区分けして表示されるような出力画像を生成することが可能となる。スリット領域に対しては投影面に対しては隙間ができたように画像が投影されないように設けてもよいし、白色光が投影されるように設けてもよいし、区分けされた部分の画像を引き延ばして表示するように設けてもよい。
【００３７】
このように調整して生成された投影画像（生成画像）を用いて投影を行うことで、スリット状の継ぎ目があるような会議室であっても、スリットの幅を加味した画像の生成が行えるため、文字や画像の識別を行える良好に識別できる画像の投影を行うことができる。
【００３８】
なお、本実施形態においては１つの画像を複数の画像として分けて表示する場合について説明を行った。しかし、隣接する画像の端部の所定領域において、重複した画像が表示されるように設けてもよい。
【００３９】
以上、実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００４０】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００４１】
この場合、記録媒体から読み出されたプログラム自体が本発明の新規な機能を実現することになり、そのプログラムを記憶した記録媒体は本発明を構成することになる。
【００４２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００４３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００４４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００４５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００４６】
１００  壁面
１０１  スリット
２０７  記憶手段
３１４  投影部
３３０  撮影部
【図１】
2015031752.tif 000003
【図２】
2015031752.tif 000004
【図３】
2015031752.tif 000005
【図４】
2015031752.tif 000006
【図５】
2015031752.tif 000007
【図６】
2015031752.tif 000008
【図７】
2015031752.tif 000009
【図８】
2015031752.tif 000010
【図９】
2015031752.tif 000011
【図１０】
2015031752.tif 000012
【図１１】
2015031752.tif 000013
【図１２】
2015031752.tif 000014
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
入力画像をそのまま表示しない投影面の領域の位置および幅に関する情報を記憶する記憶手段と、
前記記憶手段に記憶された前記情報に基づいて入力画像を区分けし、前記幅の領域を除く投影面の領域に前記入力画像が投影される出力画像を生成する画像生成手段と、
前記画像生成手段で生成された出力画像を投影面に投影すべく出力する出力手段と、
を有することを特徴とする画像投影システム。
【請求項２】
前記入力画像の大きさと前記記憶手段で記憶された情報とに基づいて、区分けされた画像をサイズ変更する必要があるか判断する判断手段をさらに有し、
前記判断手段でサイズ変更が必要であると判断された場合に、前記生成手段は、前記区分けされた画像ごとに画像サイズを縮小することで前記出力画像を生成することを特徴とする請求項１に記載の画像投影システム。
【請求項３】
前記判断手段で区分けされた画像をサイズ変更する必要がないと判断された場合には、前記生成手段は、画像サイズを縮小することなく前記区分けされた画像ごとに座標位置を移動させることで前記出力画像を生成することを特徴とする請求項２に記載の画像投影システム。
【請求項４】
検出用画像が投影された投影面の画像を取得する取得手段と、
前記取得された画像から前記入力画像をそのまま表示しない投影面の領域の位置および幅に関する情報を解析する解析手段と、をさらに有し、
前記記憶手段は、前記解析手段で解析された情報を記憶していることを特徴とする請求項１乃至３のいずれか１項に記載の画像投影システム。
【請求項５】
前記検出用画像は、投影面全域に対して一様の強度で投影された画像であることを特徴とする請求項４に記載の画像投影システム。
【請求項６】
前記検出用画像は、入力画像であり、
前記解析手段は、前記取得手段で取得された画像と、入力画像とを比較することで、前記情報を解析することを特徴とする請求項５に記載の画像投影システム。
【請求項７】
前記入力画像をそのまま表示しない投影面の領域の位置および幅に関する情報を設定する画面を表示する表示手段と、
前記表示手段によって表示された画面に基づいて、画像をそのまま表示しない領域の位置および幅に関する情報の設定を受け付ける受付手段と、をさらに有し、
前記記憶手段は、前記受付手段で受け付けた情報を記憶していることを特徴とする請求項１乃至６のいずれか１項に記載の画像投影システム。
【請求項８】
前記表示手段は、投影面に当該画面を投影することで前記画面を表示することを特徴とする請求項７に記載の画像投影システム。
【請求項９】
前記画像生成手段は、前記区分けされた画像のうち隣り合う２画像の一部の領域は同じ画像となるように生成することを特徴とする請求項１乃至８のいずれか１項に記載の画像投影システム。
【請求項１０】
入力画像をそのまま投影しない投影面の領域の位置および幅に関する情報を記憶する記憶手段と、
前記記憶手段に記憶された前記情報に基づいて入力画像を区分けし、前記幅の領域を除く投影領域に前記入力画像が投影される出力画像を生成する画像生成手段と、
前記画像生成手段で生成された出力画像を投影面に投影すべく出力する出力手段と、
を有することを特徴とする画像投影装置。
【請求項１１】
入力画像をそのまま投影しない投影面の領域の位置および幅に関する情報を記憶手段に記憶する記憶工程と、
前記記憶手段に記憶された前記情報に基づいて区分けした入力画像を用い、前記幅の領域を除く投影面の領域に前記入力画像が投影される出力画像を生成する画像生成工程と、
前記画像生成工程で生成された出力画像を投影面に投影すべく出力する出力工程と、
を有することを特徴とする画像投影方法。
【請求項１２】
入力画像をそのまま投影しない投影面の領域の位置および幅に関する情報を記憶手段に記憶する記憶手段、
前記記憶手段に記憶された前記情報に基づいて区分けした入力画像を用い、前記幅の領域を除く投影面の領域に前記入力画像が投影される力画像を生成する画像生成手段、
前記画像生成手段で生成された出力画像を投影面に投影すべく出力する出力手段、
として画像投影装置を機能させるプログラム。
【請求項１３】
入力画像をそのまま投影しない投影面の領域の位置および幅に関する情報を記憶手段に記憶する記憶手段、
前記記憶手段に記憶された前記情報に基づいて区分けした入力画像を用い、前記幅の領域を除く投影面の領域に前記入力画像が投影される力画像を生成する画像生成手段、
前記画像生成手段で生成された出力画像を投影面に投影すべく出力する出力手段、
として画像投影システムを機能させるプログラム。
【手続補正２】
【補正対象書類名】明細書
【補正対象項目名】０００８
【補正方法】変更
【補正の内容】
【０００８】
上記目的を解決できる本願発明に係る画像投影システムは、入力画像をそのまま表示しない投影面の領域の位置および幅に関する情報を記憶する記憶手段と、前記記憶手段に記憶された前記情報に基づいて入力画像を区分けし、前記幅の領域を除く投影面の領域に前記入力画像が投影される出力画像を生成する画像生成手段と、前記画像生成手段で生成された出力画像を投影面に投影すべく出力する出力手段と、を有することを特徴としている。
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
入力画像をそのまま表示しない投影面の領域の位置および幅に関する情報を記憶する記憶手段と、
前記幅の領域を除く投影面の領域に前記入力画像が投影されるように、前記記憶手段に記憶された前記情報に基づいて入力画像を区分けし、当該区分けされた入力画像の間に前記幅の領域を加えて、出力画像を生成する画像生成手段と、
前記画像生成手段で生成された出力画像を投影手段によって投影面に投影させるべく出力する出力手段と、
前記画像生成手段で出力画像を生成する際に入力画像の縮小が必要かを判断する判断手段と、を有し、
前記判断手段は、前記区分けされた入力画像の間に前記幅の領域を加えた画像の大きさが、前記投影手段によって投影可能な画像サイズより大きい場合に、入力画像の縮小が必要であると判断し、前記区分けされた入力画像の間に前記幅の領域を加えた画像の大きさが、前記投影手段によって投影可能な画像サイズ以下の場合に、入力画像の縮小が必要でないと判断することを特徴とする画像投影システム。
【請求項２】
前記判断手段で入力画像の縮小が必要であると判断された場合に、前記画像生成手段は、前記区分けされた画像ごとに画像サイズを縮小することで前記出力画像を生成することを特徴とする請求項１に記載の画像投影システム。
【請求項３】
前記判断手段で入力画像の縮小が必要ないと判断された場合には、前記画像生成手段は、画像サイズを縮小することなく前記区分けされた画像ごとに座標位置を移動させることで前記出力画像を生成することを特徴とする請求項１又は２に記載の画像投影システム。
【請求項４】
検出用画像が投影された投影面の画像を取得する取得手段と、
前記取得された画像から前記入力画像をそのまま表示しない投影面の領域の位置および幅に関する情報を解析する解析手段と、をさらに有し、
前記記憶手段は、前記解析手段で解析された情報を記憶していることを特徴とする請求項１乃至３のいずれか１項に記載の画像投影システム。
【請求項５】
前記検出用画像は、投影面全域に対して一様の強度で投影された画像であることを特徴とする請求項４に記載の画像投影システム。
【請求項６】
前記検出用画像は、入力画像であり、
前記解析手段は、前記取得手段で取得された画像と、入力画像とを比較することで、前記情報を解析することを特徴とする請求項５に記載の画像投影システム。
【請求項７】
前記入力画像をそのまま表示しない投影面の領域の位置および幅に関する情報を設定する画面を表示する表示手段と、
前記表示手段によって表示された画面に基づいて、画像をそのまま表示しない領域の位置および幅に関する情報の設定を受け付ける受付手段と、をさらに有し、
前記記憶手段は、前記受付手段で受け付けた情報を記憶していることを特徴とする請求項１乃至６のいずれか１項に記載の画像投影システム。
【請求項８】
前記表示手段は、投影面に当該画面を投影することで前記画面を表示することを特徴とする請求項７に記載の画像投影システム。
【請求項９】
前記画像生成手段は、前記区分けされた画像のうち隣り合う２画像の一部の領域は同じ画像となるように生成することを特徴とする請求項１乃至８のいずれか１項に記載の画像投影システム。
【請求項１０】
入力画像をそのまま表示しない投影面の領域の位置および幅に関する情報を記憶する記憶手段と、
前記幅の領域を除く投影面の領域に前記入力画像が投影されるように、前記記憶手段に記憶された前記情報に基づいて入力画像を区分けし、当該区分けされた入力画像の間に前記幅の領域を加えて、出力画像を生成する画像生成手段と、
前記画像生成手段で生成された出力画像を投影手段によって投影面に投影させるべく出力する出力手段と、
前記画像生成手段で出力画像を生成する際に入力画像の縮小が必要かを判断する判断手段と、を有し、
前記判断手段は、前記区分けされた入力画像の間に前記幅の領域を加えた画像の大きさが、前記投影手段によって投影可能な画面サイズより大きい場合に、入力画像の縮小が必要であると判断し、前記区分けされた入力画像の間に前記幅の領域を加えた画像の大きさが、前記投影手段によって投影可能な画面サイズ以下の場合に、入力画像の縮小が必要でないと判断することを特徴とする画像投影装置。
【請求項１１】
入力画像をそのまま表示しない投影面の領域の位置および幅に関する情報を記憶手段に記憶する記憶工程と、
前記幅の領域を除く投影面の領域に前記入力画像が投影されるように、前記記憶手段に記憶された前記情報に基づいて区分けした入力画像を用い、当該区分けされた入力画像の間に前記幅の領域を加えた出力画像を生成する画像生成工程と、
前記画像生成工程で生成された出力画像を投影手段によって投影面に投影させるべく出力する出力工程と、
前記画像生成工程で画像を生成する際に入力画像の縮小が必要かを判断する判断工程と、を有し、
前記判断工程は、前記区分けされた入力画像の間に前記幅の領域を加えた画像の大きさが、前記投影手段によって投影可能な画面サイズより大きい場合に、入力画像の縮小が必要であると判断し、前記区分けされた入力画像の間に前記幅の領域を加えた画像の大きさが、前記投影手段によって投影可能な画面サイズ以下の場合に、入力画像の縮小が必要でないと判断することを特徴とする画像投影方法。
【請求項１２】
入力画像をそのまま表示しない投影面の領域の位置および幅に関する情報を記憶する記憶手段を有する画像投影装置に搭載可能なプログラムであって、
前記画像投影装置を、
前記幅の領域を除く投影面の領域に前記入力画像が投影されるように、前記記憶手段に記憶された前記情報に基づいて入力画像を区分けし、当該区分けされた入力画像の間に前記幅の領域を加えて、出力画像を生成する画像生成手段、
前記画像生成手段で生成された出力画像を投影手段によって投影面に投影させるべく出力する出力手段、
前記画像生成手段で出力画像を生成する際に入力画像の縮小が必要かを判断する判断手段、として機能させ、
前記判断手段として機能させる際には、前記区分けされた入力画像の間に前記幅の領域を加えた画像の大きさが、前記投影手段によって投影可能な画面サイズより大きい場合に、入力画像の縮小が必要であると判断し、前記区分けされた入力画像の間に前記幅の領域を加えた画像の大きさが、前記投影手段によって投影可能な画面サイズ以下の場合に、入力画像の縮小が必要でないと判断することを特徴とするプログラム。
【請求項１３】
入力画像をそのまま表示しない投影面の領域の位置および幅に関する情報を記憶する記憶手段を有する画像投影システムに搭載可能なプログラムであって、
前記画像投影システムを、
前記幅の領域を除く投影面の領域に前記入力画像が投影されるように、前記記憶手段に記憶された前記情報に基づいて入力画像を区分けし、当該区分けされた入力画像の間に前記幅の領域を加えて、出力画像を生成する画像生成手段、
前記画像生成手段で生成された出力画像を投影手段によって投影面に投影させるべく出力する出力手段、
前記画像生成手段で出力画像を生成する際に入力画像の縮小が必要かを判断する判断手段、として機能させ、
前記判断手段として機能させる際には、前記区分けされた入力画像の間に前記幅の領域を加えた画像の大きさが、前記投影手段によって投影可能な画面サイズより大きい場合に、入力画像の縮小が必要であると判断し、前記区分けされた入力画像の間に前記幅の領域を加えた画像の大きさが、前記投影手段によって投影可能な画面サイズ以下の場合に、入力画像の縮小が必要でないと判断することを特徴とするプログラム。
【手続補正２】
【補正対象書類名】明細書
【補正対象項目名】０００８
【補正方法】変更
【補正の内容】
【０００８】
上記目的を解決できる本願発明に係る画像投影システムは、入力画像をそのまま表示しない投影面の領域の位置および幅に関する情報を記憶する記憶手段と、前記幅の領域を除く投影面の領域に前記入力画像が投影されるように、前記記憶手段に記憶された前記情報に基づいて入力画像を区分けし、当該区分けされた入力画像の間に前記幅の領域を加えて、出力画像を生成する画像生成手段と、前記画像生成手段で生成された出力画像を投影手段によって投影面に投影させるべく出力する出力手段と、前記画像生成手段で出力画像を生成する際に入力画像の縮小が必要かを判断する判断手段と、を有し、前記判断手段は、前記区分けされた入力画像の間に前記幅の領域を加えた画像の大きさが、前記投影手段によって投影可能な画像サイズより大きい場合に、入力画像の縮小が必要であると判断し、前記区分けされた入力画像の間に前記幅の領域を加えた画像の大きさが、前記投影手段によって投影可能な画像サイズ以下の場合に、入力画像の縮小が必要でないと判断することを特徴としている。